(57)【特許請求の範囲】
【請求項１】
原稿が載置される原稿台、前記原稿台上に載置される原稿の位置決めを行うための位置決め部、前記原稿の画像を光学的に読み取る読取部、及び、前記原稿台上に載置された原稿を押さえるための原稿押圧部材を備えた原稿読取装置と、該原稿読取装置における前記読取部で読み取られた画像データに基づき画像を記録媒体に形成する画像形成部とを備える画像形成装置において、
前記原稿読取装置における前記読取部で読み取られた画像データに基づき、前記記録媒体に形成すべき画像の適正位置に対し前記画像形成部にて該記録媒体に形成する画像の印刷位置を一致させるように前記画像形成部を制御する制御手段を備え、
前記原稿読取装置は、原稿を主走査方向及び副走査方向に走査して画像を読み取る前記読取部を備えたスキャナ装置であって、前記原稿台上に載置される原稿を吸着保持するための誘電体部と、前記誘電体部へ通電する通電状態と前記誘電体部への通電を遮断する遮断状態とを切り換える切換スイッチとを備え、
前記位置決め部は、前記原稿台の少なくとも一辺側を基準に原稿を位置決めし、かつ、前記原稿台の少なくとも前記副走査方向上流側を基準に原稿を位置決めするものであって、原稿に当接されることで該原稿の移動を規制するように前記原稿台の原稿載置面より突出した２個以上の位置決めリブとされており、前記２個以上の位置決めリブは、前記原稿台の少なくとも１つの角部に直角をなすように配設されており、
前記誘電体部は、ポリフッ化ビニリデンよりなる誘電体と、該誘電体に電気的に接続される一対の電極とを含むものであって、前記原稿台の一部を構成し、該原稿台における前記位置決め側の端部領域の少なくとも一部に位置し、かつ、前記原稿台における前記副走査方向上流側の端部領域に位置しており、
前記誘電体部における前記一対の電極は、互いに対向する側のパターンが交互に配置された凹凸形状とされており、
前記原稿押圧部材は、前記原稿台に対して開閉可能な原稿押圧板とされており、
前記切換スイッチは、前記原稿押圧板の開閉動作に連動して前記誘電体部の前記通電状態と前記遮断状態とを切り換える切り換え動作を行う自動切換スイッチを備えており、
前記自動切換スイッチは、前記原稿押圧板が開放姿勢から閉じ姿勢に移行する際に前記原稿押圧板の前記原稿台に対する予め定めた所定の切り換え角度で前記誘電体部が前記遮断状態から前記通電状態へと切り換わる構成とされており、
前記切換スイッチは、さらに、入力操作により前記誘電体部の前記通電状態と前記遮断状態とを切り換える切り換え動作を行う手動切換スイッチと、電源に対して前記自動切換スイッチとの接続と前記手動切換スイッチとの接続とを切り換える切換手段とを備えていることを特徴とする画像形成装置。
【請求項２】
請求項１に記載の画像形成装置であって、
前記切り換え角度は、１５°〜３０°の範囲内にあることを特徴とする画像形成装置。
【発明の詳細な説明】
【技術分野】
【０００１】
本発明は、複写機、ファクシミリ、複合機等の画像形成装置に関し、詳しくは、原稿（特に比較的薄いシート原稿）の原稿台への載置時に発生し得るずれを効果的に防止できる原稿読取装置を備えた画像形成装置に関するものである。
【背景技術】
【０００２】
近年、オフィス文書等の文書データの電子化処理や記録媒体への画像形成などのために原稿の画像を読み取るスキャナ装置等の原稿読取装置が利用されている。
【０００３】
従来の原稿読取装置は、一般的に、原稿が載置される原稿台と、原稿台上に載置される原稿の位置決めを行うための位置決め部と、原稿の画像を光学的に読み取る読取部と、原稿台上に載置された原稿を押さえるための原稿押圧部材（例えば、原稿台に対して開閉可能な原稿押圧板（原稿押さえ、オリジナルカバーともいう。））とを備えている。
【０００４】
このような原稿読取装置においては、原稿は、原稿台に載置された位置決め部にて所定の適正位置に位置決めされた後、原稿押圧部材にて押さえられて該原稿台上で画像が読取部にて読み取られる。
【０００５】
このような原稿画像の読み取りにあたり、原稿押圧部材が原稿台へ接離される際に、原稿台近傍の空気の流れや原稿押圧部材の押圧力等の影響を受け、原稿（特に比較的薄いシート原稿）が適正位置よりずれてしまうことがあり、取り込んだ画像が適正位置に記録されなかったり、形成画像が傾いたものになってしまったりという不都合があった。
【０００６】
かかる不都合に対して、従来の原稿読取装置では、原稿が配置されるにあたり、原稿押圧部材にて原稿を押さえる前に、仮固定するという対策が講じられている。
【０００７】
例えば、コンタクトガラス（原稿台）に対し接離可能に設けられる原稿押圧板にシート原稿を被覆可能な大きさの誘電体板を設けて原稿押圧板自体に原稿を吸着することで該原稿を原稿押圧板に保持する技術（下記特許文献１参照）や、透明板（原稿台）の上面に、互いに正負それぞれの電荷が帯電される線状の電極パターンを形成して原稿を原稿台に吸着することで該原稿を原稿台に保持する技術（下記特許文献２参照）などが提案されている。
【特許文献１】実特昭６３−１８５１３７号公報
【特許文献２】特開２００５−７０５８８号公報
【発明の開示】
【発明が解決しようとする課題】
【０００８】
しかしながら、特許文献１記載の技術では、原稿押圧板にシート原稿を被覆可能な大きさの誘電体板を設ける必要があるため、原稿押圧板に全面的に誘電体を作製しなければならず、製造面での困難さやコストアップにつながるという問題がある。また、原稿を読み取る際には、操作者が原稿を原稿押圧板に取り付ける必要があるため、原稿押圧板への原稿の配置に気を使うといった操作性の問題もある。
【０００９】
また、特許文献２記載の技術では、線状の電極パターンを複数作製する必要があるが、原稿読み取りの際に該電極パターンが読み取りに影響しないように該電極パターンを薄くしなければならないため、非常に精密なコーティング技術を必要とし、また、線状の電極パターンを透明板（原稿台）に全面的に作製しなければならないため、コストがかさむという問題がある。
【００１０】
本発明は、上記問題点に鑑みてなされたものであり、原稿載置の際の操作性に優れると共に製作が容易で且つ低コストでありながら、原稿押圧部材の原稿台への接離の際の原稿ずれを抑制でき、これにより位置精度の優れた原稿の読み取りが可能な原稿読取装置を備え、位置精度の優れた原稿画像を形成することが可能な画像形成装置を提供することを他の目的とする。
【課題を解決するための手段】
【００１２】
本発明は、前記課題を解決するために、原稿が載置される原稿台、前記原稿台上に載置される原稿の位置決めを行うための位置決め部、前記原稿の画像を光学的に読み取る読取部、及び、前記原稿台上に載置された原稿を押さえるための原稿押圧部材を備えた原稿読取装置と、該原稿読取装置における前記読取部で読み取られた画像データに基づき画像を記録媒体に形成する画像形成部とを備える画像形成装置において、前記原稿読取装置における前記読取部で読み取られた画像データに基づき、前記記録媒体に形成すべき画像の適正位置に対し前記画像形成部にて該記録媒体に形成する画像の印刷位置を一致させるように前記画像形成部を制御する制御手段を備え、前記原稿読取装置は、原稿を主走査方向及び副走査方向に走査して画像を読み取る前記読取部を備えたスキャナ装置であって、前記原稿台上に載置される原稿を吸着保持するための誘電体部と、前記誘電体部へ通電する通電状態と前記誘電体部への通電を遮断する遮断状態とを切り換える切換スイッチとを備え、前記位置決め部は、前記原稿台の少なくとも一辺側を基準に原稿を位置決めし、かつ、前記原稿台の少なくとも前記副走査方向上流側を基準に原稿を位置決めするものであって、原稿に当接されることで該原稿の移動を規制するように前記原稿台の原稿載置面より突出した２個以上の位置決めリブとされており、前記２個以上の位置決めリブは、前記原稿台の少なくとも１つの角部に直角をなすように配設されており、前記誘電体部は、ポリフッ化ビニリデンよりなる誘電体と、該誘電体に電気的に接続される一対の電極とを含むものであって、前記原稿台の一部を構成し、該原稿台における前記位置決め側の端部領域の少なくとも一部に位置し、かつ、前記原稿台における前記副走査方向上流側の端部領域に位置しており、前記誘電体部における前記一対の電極は、互いに対向する側のパターンが交互に配置された凹凸形状とされており、前記原稿押圧部材は、前記原稿台に対して開閉可能な原稿押圧板とされており、前記切換スイッチは、前記原稿押圧板の開閉動作に連動して前記誘電体部の前記通電状態と前記遮断状態とを切り換える切り換え動作を行う自動切換スイッチを備えており、前記自動切換スイッチは、前記原稿押圧板が開放姿勢から閉じ姿勢に移行する際に前記原稿押圧板の前記原稿台に対する予め定めた所定の切り換え角度で前記誘電体部が前記遮断状態から前記通電状態へと切り換わる構成とされており、前記切換スイッチは、さらに、入力操作により前記誘電体部の前記通電状態と前記遮断状態とを切り換える切り換え動作を行う手動切換スイッチと、電源に対して前記自動切換スイッチとの接続と前記手動切換スイッチとの接続とを切り換える切換手段とを備えていることを特徴とする画像形成装置を提供する。
【００１３】
本発明では、原稿は前記原稿台に載置される。このとき、原稿は、前記原稿台の少なくとも一辺側を基準に位置決めする前記位置決め部にて所定の適正な位置に位置決めされる。そして、前記原稿台における前記位置決め側の端部領域の少なくとも一部に位置している前記誘電体部が、該原稿台上に載置される原稿を吸着保持する。
【００１４】
このように、本発明によれば、原稿が前記原稿台に載置されるので、原稿載置の際の操作性に優れる。さらに、前記誘電体部は、前記原稿台における前記位置決め側の端部領域の少なくとも一部に位置しているので、それだけ容易に製作することができると共に製作コストを低く抑えることができる。さらに、前記誘電体部は、前記原稿台上に載置される原稿を吸着保持できるので、前記原稿押圧部材の前記原稿台への接離の際に発生し得る気流等の影響で原稿が適正位置よりずれることを抑えることができ、従って、位置精度の優れた原稿の読み取りを行うことが可能となる。このことは、基準となる標準的な厚みの原稿よりも薄いシート原稿に対して特に有効である。
【００１６】
また、本発明では、前記誘電体部は、ポリフッ化ビニリデンよりなる誘電体と、該誘電体に電気的に接続される一対の電極とを含むものとされていることで、前記誘電体の誘電率が高いほど、少しの印加電力で前記誘電体部を効果的に駆動できる。また、このポリフッ化ビニリデンは耐熱性が高い上に離型性も高いため、量産製造に利用しやすい。
【００１７】
前記誘電体部における前記一対の電極は、互いに対向する側のパターンが交互に配置された凹凸形状とされていることで、原稿の前記誘電体部との吸着領域での電極密度を向上させることができ、それだけ少ない印加電圧で吸着力を強化することができる。
【００１８】
また、本発明では、前記位置決め部は、原稿に当接されることで該原稿の移動を規制するように前記原稿台の原稿載置面より突出した２個以上の位置決めリブとされており、前記２個以上の位置決めリブは、前記原稿台の少なくとも１つの角部に直角をなすように配設されていることで、前記少なくとも１つの角部に直角をなすように配設された前記２個以上の位置決めリブを基準にして原稿を配置できるため、原稿のずれをさらに抑制することができる。
【００１９】
また、本発明では、前記誘電体部へ通電する通電状態と前記誘電体部への通電を遮断する遮断状態とを切り換える切換スイッチを備えていることで、操作者が必要に応じて前記切換スイッチを前記通電状態と前記遮断状態とに切り換えることができる。これにより、利便性を向上させることができ、前記誘電体部の無駄な吸着動作をなくすことができる。
【００２０】
また、本発明では、前記原稿押圧部材は、前記原稿台に対して開閉可能な原稿押圧板とされており、前記切換スイッチは、前記原稿押圧板の開閉動作に連動して前記誘電体部の前記通電状態と前記遮断状態とを切り換える切り換え動作を行う自動切換スイッチを備えており、前記自動切換スイッチは、前記原稿押圧板が開放姿勢から閉じ姿勢に移行する際に前記原稿押圧板の前記原稿台に対する予め定めた所定の切り換え角度で前記誘電体部が前記遮断状態から前記通電状態へと切り換わる構成とされていることで、前記原稿押圧板の開閉動作の途中で前記誘電体部を前記通電状態にできるので、この開閉動作の途中で生じやすい原稿のずれを自動的に抑制することができる。具体的には、前記切換スイッチは、前記原稿押圧板が開いた開放姿勢から原稿を前記原稿台に押しつけた閉じ姿勢へ移行する動作のときに、その移行途中で前記誘電体部を前記通電状態に切り換える動作を行う一方、前記原稿押圧板の前記閉じ姿勢から前記開放姿勢へ移行する動作のときに、その移行途中で前記誘電体部を前記遮断状態に切り換える切り換え動作を行うように構成され得る。
【００２２】
また、本発明では、前記原稿読取装置における前記読取部からの画像データに基づき画像を記録媒体に形成するので、位置精度の優れた画像を記録媒体に形成することができる。
【００２３】
また、本発明では、前記原稿読取装置における前記読取部で読み取られた画像データに基づき、記録媒体に形成すべき画像の適正位置に対し前記画像形成部にて該記録媒体に形成する画像の印刷位置を一致させるように前記画像形成部を制御する制御手段を備えることで、たとえ前記適正位置に対して前記原稿読取装置における前記読取部で読み取られた画像データにずれがある場合でも、前記制御手段によって前記適正位置に対し前記印刷位置を一致させるように前記画像形成部を制御するので、記録媒体の前記適正位置に画像を形成することができ、それだけ位置精度の優れた画像を記録媒体に形成することができる。
本発明において、前記切り換え角度は、１５°〜３０°の範囲内にある態様を例示できる。
【発明の効果】
【００２４】
以上説明したように、本発明によると、原稿載置の際の操作性に優れると共に製作が容易で且つ低コストでありながら、原稿のずれを抑制でき、これにより位置精度の優れた原稿の読み取りが可能な原稿読取装置を備え、位置精度の優れた画像を形成することが可能な画像形成装置を提供することができる。
【発明を実施するための最良の形態】
【００２６】
以下、本発明の実施形態について添付図面を参照しつつ説明する。なお、以下の実施の形態は、本発明を具体化した一例であって、本発明の技術的範囲を限定する性格のものではない。
【００２７】
図１は、本発明に係る原稿読取装置の一実施形態であるスキャナ装置１の概観斜視図である。図２は、図１に示すスキャナ装置１の概略構成を示す部分側面図である。
【００２８】
［スキャナ装置１の全体構成について］
図１及び図２に示すように、スキャナ装置１は、水平に配設された原稿台２０と、原稿台２０上に載置されるシート原稿Ｐ（図１では図示せず、図２参照）の位置決めを行うための位置決め部３と、位置決め部３にて位置決めされた原稿Ｐの画像を光学的に読み取る読取部３０（図１では図示せず、図２参照）と、原稿台２０上に載置された原稿Ｐを押さえるための原稿押圧部材４（図２では図示せず、図１参照）とを備えている。
【００２９】
このスキャナ装置１は、デジタル複写機等の画像形成装置１００（図１では図示せず、図２参照）の上部に設けられるようになっている。読取部３０は、ここでは、原稿Ｐを該原稿Ｐの読み取り面に沿った主走査方向（図中Ｘ方向）に光学的に走査すると共に主走査方向Ｘに直交し且つ該原稿Ｐの読み取り面に沿った副走査方向（図中Ｙ方向）に移動しながら光学的に走査して画像を読み取るものである。スキャナ装置１は、主として読取部３０を収容する原稿走査部５０から構成されている。原稿走査部５０は、取り付け部材（図示せず）によって画像形成装置１００本体に連結されている。
【００３０】
原稿走査部５０は、ユーザーが原稿Ｐを原稿台２０上に載置して原稿画像の読み取りを行う原稿固定方式による画像読み取り動作を行うようになっている。
【００３１】
即ち、原稿走査部５０は、図２に示すように、筐体５１と、原稿台２０と、該原稿台２０に隣接して設けられる位置決め部３と、筐体５１内に収容される読取部３０とを備えている。なお、原稿台２０、位置決め部３及び原稿押圧部材４については、後ほど詳しく説明する。
【００３２】
読取部３０は、原稿Ｐが原稿押圧部材４にて押さえられた状態で原稿Ｐの画像を読み取るようになっている。読取部３０は、ここでは、光源３１及び第１ミラー３２を有する光源ユニット３３と、第２ミラー３４及び第３ミラー３５を有するミラーユニット３６と、レンズ３７及び撮像素子３８を有する撮像ユニット３９とを備えている。そして、読取部３０は、光源３１にて原稿Ｐに光照射しつつ該原稿Ｐを光学的に走査して該原稿Ｐからの反射光を画像データとして読み取るようになっている。具体的には、読取部３０は、光源３１、ミラー群（ここでは第１〜第３ミラー３２，３４，３５）、レンズ３７及びＣＣＤ（イメージセンサ）等の撮像素子３８から構成される縮小光学系の読取部とされている。
【００３３】
この原稿走査部５０では、原稿Ｐの画像を読み取るにあたり、光源ユニット３３及びミラーユニット３６は、ホームポジションにそれぞれ移動する。その後、光源ユニット３３は原稿Ｐに対して光を照射しながら主走査方向Ｘに走査しつつ一定の速度で副走査方向Ｙに移動して原稿Ｐの画像を読み取り、それと同時にミラーユニット３６は光源ユニット３３の移動速度の１／２の移動速度で同じく副走査方向Ｙに移動する。
【００３４】
光源ユニット３３の光源３１から原稿Ｐへ光照射されて該原稿Ｐから反射した反射光は、光源ユニット３３に設けられた第１ミラー３２で反射したのち、ミラーユニット３６の第２及び第３ミラー３４，３５によって１８０°光路変換され、第３ミラー３５から反射された光はレンズ３７を介して撮像素子３８に結像し、ここで原稿画像が読み取られて電気的な画像データに変換される。そして、この画像データは、画像形成装置１００における後述する画像形成部１１０に入力されるようになっている。
【００３５】
図１及び図２に示すスキャナ装置１はさらに制御部１０１を備えている。図３は、図１及び図２に示すスキャナ装置１の制御部１０１を中心に示す電気的構成の概略ブロック図である。
【００３６】
図１及び図２に示すスキャナ装置１は、前記の構成に加えて、制御部１０１と、画像処理部１０２と、記憶部１０３と、操作部１０４と、原稿走査部駆動モータ１０５ａを駆動制御するドライバ１０５とを備えている。
【００３７】
制御部１０１は、装置全体の動作制御を行う部分であり、図示は省略したがＣＰＵ等の情報処理部、ＲＯＭ、ＲＡＭ等のメモリ部によって構成されている。
【００３８】
画像処理部１０２は、図２に示す読取部３０で読み取った光学データを、ページ単位で電気的な画像データに変換するものである。記憶部１０３は、例えばＲＡＭ、ＥＥＰＲＯＭなどで構成され、制御部１０１によって制御される制御中のデータ、入力された各種指示内容を記憶するものである。また、記憶部１０３は、読取部３０で読み取った原稿画像を一時的に記憶するようになっている。
【００３９】
操作部１０４は、図１に示すスキャナ装置１の手前側に配置されている。また、操作部１０４は、原稿読み取りの指示を行う操作部材や後述する切換スイッチ７などの人為操作可能な入力手段を備えている。
【００４０】
原稿走査部駆動モータ１０５ａは、原稿画像を読み取る場合に、光源ユニット３３及びミラーユニット３６を適宜の速度で副走査方向Ｙに移動させるためのモータであり、制御部１０１の制御により、ドライバ１０５によって適宜駆動制御されるものである。
【００４１】
このスキャナ装置１において、原稿押圧部材４は、ここでは、原稿台２０に対して開閉可能とされ、原稿台２０上に載置された読み取り原稿Ｐを読み取り面とは反対側から押さえる原稿押圧板とされている。なお、原稿押圧部材４は、原稿押圧板の他、原稿を自動搬送する原稿自動搬送装置の下面を構成する部材であってもよい。
【００４２】
位置決め部３は、原稿台２０の少なくとも一辺側を基準に原稿Ｐを位置決めするものである。詳しくは、位置決め部３は、原稿台２０の少なくとも副走査方向Ｙ上流側を基準に原稿Ｐを位置決めするものであり、原稿台２０の少なくとも副走査方向Ｙ上流側に隣設され得る。ここでは、位置決め部３は、原稿台２０の副走査方向Ｙ上流側端及び主走査方向Ｘ一方側端に隣接して設けられている。位置決め部３としては、位置決めリブを例示できる。位置決め部３は、例えば、スキャナ装置１の原稿載置側面（上面）カバー１ａに一体形成され得る。
【００４３】
そして、スキャナ装置１は、原稿台２０上に載置される原稿Ｐを吸着保持するための誘電体部５を備えている。この誘電体部５は、原稿台２０の一部を構成し、該原稿台２０における前記位置決め側（具体的には位置決め部３側）の端部領域の少なくとも一部であって、読取部３０による原稿画像の有効読取領域を含む領域に位置している。
【００４４】
これについて図４を参照しながらさらに具体的に説明する。図４は、原稿台２０の前記位置決め側の端部領域αを説明するための図であって、図４（Ａ）は、スキャナ装置１における位置決め部３及び原稿台２０の誘電体部５部分を中心に示す概略平面図であり、図４（Ｂ）は、その概略斜視図である。なお、図４（Ａ）において、原稿台２０の前記位置決め側の端部領域αは破線部分で示し、誘電体部５は斜線部分で示す。
【００４５】
位置決め部３は、副走査方向Ｙにおいて原稿台２０の上流側端部（副走査開始側端部）２１ａに隣設された第１位置決め部３ａと、主走査方向Ｘにおいて原稿台２０の一方側端部２１ｂに隣設された第２位置決め部３ｂとを有している。第１位置決め部３ａは、原稿台２０上に載置される原稿Ｐの副走査方向Ｙに対して該原稿Ｐの該方向Ｙ上流側端部を当接させて位置決めするようになっており、第２位置決め部３ｂは、原稿台２０上に載置される原稿Ｐの主走査方向Ｘに対して該原稿Ｐの該方向Ｘ一方側端部を当接させて位置決めするようになっている。
【００４６】
詳しくは、第１位置決め部３ａ及び第２位置決め部３ｂは、原稿台２０に載置された原稿Ｐに当接されることで該原稿Ｐの移動を規制する当接面３ａ’，３ｂ’を有している。第１位置決め部３ａ及び第２位置決め部３ｂは、原稿台２０の原稿載置面（上面）２０ｃより所定高さｈ（例えば１ｍｍ程度）だけ垂直方向（上方）に突出し（図２参照）且つ主走査方向Ｘ及び副走査方向Ｙにそれぞれ延びる位置決めリブとされている。
【００４７】
ここで、原稿台２０における前記位置決め側の端部領域α（α１，α２）とは、前記位置決め側（具体的には位置決め部３（３ａ，３ｂ）に臨む側）の端部２１（２１ａ，２１ｂ）から所定の距離ｄだけ内側に入った領域を意味する。
【００４８】
そして、誘電体部５は、原稿台２０における端部領域αの幅方向全体、且つ、長手方向の全体又は一部に位置することができる。ここでは、誘電体部５は、原稿台２０における端部領域α１，α２のうち、第１位置決め部３ａ側の端部領域α１に全域に亘って設けられている。
【００４９】
原稿台２０は、透明平板（ここでは透明なガラス板）２と誘電体部５とからなっている。さらに具体的には、誘電体部５は、板状部材とされている。誘電体部５及び透明平板２は、何れも矩形状のものとされている。誘電体部５は、長手方向が主走査方向Ｘに且つ短手方向が副走査方向Ｙに沿うように第１位置決め部３ａに隣接して設けられている。また、透明平板２は、原稿載置面（上面）２ｃが誘電体部５の原稿載置側面（上面）５ｃに揃うと共に、長手方向が副走査方向Ｙに且つ短手方向が主走査方向Ｘに沿うように該誘電体部５に隣接して設けられている。即ち、第１位置決め部３ａに隣接する原稿台２０の誘電体部５及び透明平板２は、副走査方向Ｙの上流側から下流側へこの順に配置されている。
【００５０】
誘電体部５は、ここでは、透明平板２の厚みと同程度の厚みとされている。即ち、原稿台２０は、構成される誘電体部５及び透明平板２全体として矩形状の平板とされている。なお、透明平板２及び誘電体部５並びに位置決めリブ３ａ，３ｂは、スキャナ本体前後に設けられた２つの保持台板９の上に載置されて保持されるようになっている。
【００５１】
誘電体部５は、ここでは光を透過しないものとされている。この点を考慮して、誘電体部５の幅ｄは、原稿Ｐの周縁部に一般的に設けられる余白部分の所定幅に相当する距離（例えば３ｍｍ程度）とすることができる。こうすることで、原稿Ｐの画像を読み取る場合、誘電体部５が光源３１からの光を通すことができないため、原稿Ｐの誘電体部５に対応する部分は読み取ることができないものの、このように誘電体部５によって原稿Ｐの実際上不必要な読み取り部分が欠落しても実質的な問題にはならない。
【００５２】
また、誘電体部５の幅ｄの下限値としては、誘電体部５の原稿Ｐへの吸着性を確保するという観点から、それには限定されないが、３ｍｍ程度を例示できる。
【００５３】
以上説明したスキャナ装置１では、原稿Ｐを読み取るにあたり、原稿Ｐは操作者にて原稿台２０上に載置される。このとき、原稿Ｐは、原稿台２０に隣設された位置決め部３（３ａ，３ｂ）に当接されて所定の適正な位置に位置決めされた状態で原稿台２０に載置される。
【００５４】
そして、原稿台２０における位置決め部３側の端部領域αの少なくとも一部α１に位置する誘電体部５が、該原稿台２０上に載置される原稿Ｐを吸着保持する。
【００５５】
このように、スキャナ装置１によれば、原稿Ｐが原稿台２０に載置されるので、原稿を原稿押圧板に取り付けるといった従来技術に比べ原稿載置の際の操作性を向上させることができる。さらに、誘電体部５は、原稿台２０に全面的に設けられることなく、原稿台２０における位置決め部３側の端部領域αの少なくとも一部α１に設けられるので、それだけ容易に製作することができると共に製作コストを低く抑えることができる。さらに、誘電体部５は、原稿台２０上に載置される原稿Ｐを吸着保持するので、原稿押圧部材４の原稿台２０への接離の際に発生することがある空気の流れ等の影響で原稿Ｐが位置決め部３にて適正位置に位置決めされた位置よりずれることを抑えることができ、従って、位置精度の優れた原稿Ｐ（特に薄いシート原稿）の読み取りを行うことが可能となる。
【００５６】
本実施の形態においては、位置決めリブ３ａ、３ｂは、矩形状の原稿台２０の副走査方向Ｙ上流側端部２１ａと主走査方向Ｘ一方側端部２１ｂとの角部Ｃに直角をなすように配設されている。こうすることで、１つの角部Ｃに直角をなすように配設された位置決めリブ３ａ，３ｂを基準にして原稿Ｐを配置できるため、原稿Ｐのずれを一層抑制することが可能となる。
【００５７】
本実施の形態に係るスキャナ装置１は、誘電体部５へ通電する通電状態と誘電体部５への通電を遮断する遮断状態とを切り換える切換スイッチ７をさらに備えている。この切換スイッチ７を備えることにより、操作者が必要に応じて切換スイッチ７を前記通電状態と前記遮断状態とに切り換えることができ、例えば、操作者が正確な原稿Ｐの読み取りを必要とするときのみ、切換スイッチ７にて誘電体部５を前記通電状態にして原稿Ｐを吸着する動作に切り換えることができる。これにより、より使い勝手がよくなり、誘電体部５の無駄な吸着動作をなくすことができる。なお、切換スイッチ７は、ここでは、操作部１０４に設けられている。
【００５８】
また、本実施の形態においては、原稿押圧部材４は既述のとおり原稿押圧板とされている。この原稿押圧部材４（以下、原稿押圧板という。）は、原稿台２０に対して原稿Ｐを載置可能に全開した開放姿勢と、原稿Ｐを間にして原稿台２０に密着した閉じ姿勢とをとり得るように一端側が軸支されている。さらに具体的には、原稿押圧板４は、主走査方向Ｘの一端側が原稿走査部５０にヒンジ等の回動部材（図示せず）を介して設けられており、該回動部材によって副走査方向Ｙに沿った枢支軸回りに開閉自在に軸支されている。また、原稿押圧板４は、原稿台２０上に載置された原稿Ｐを含む、原稿走査部５０の原稿載置側面（上面）全体を押さえることができるように、矩形状のものとされている。
【００５９】
ここで、原稿Ｐの誘電体部５への吸着保持について、図５を参照しながら具体的な動作説明を行う。図５は、原稿Ｐの誘電体部５への吸着保持動作を説明するための図であって、図５（Ａ）は、原稿台２０に原稿Ｐを載置した状態を示しており、図５（Ｂ）は、位置決め部３にて原稿Ｐを位置決めした後、切換スイッチ７をオン操作した状態を示しており、また、図５（Ｃ）は、位置決め部３にて原稿Ｐを位置決めして切換スイッチ７をオン操作した後、原稿押圧板４が前記閉じ姿勢をとっている状態を示している。
【００６０】
本実施の形態では、角部Ｃに直角をなすように配設された位置決めリブ３ａ、３ｂを原稿配置の基準位置としているため、原稿Ｐは操作者によりその位置を基準に載置される。また、位置決めリブ３ａ，３ｂは、原稿台面２０ｃより垂直方向に所定高さｈ（例えば約１ｍｍ）高くしているため、ほぼ基準位置に移動された原稿Ｐを適正位置に位置決めすることができる。このとき、図５（Ａ）に示すように、原稿Ｐは原稿台２０に単に置かれている（載せられている）だけで、固定されているわけではない。そのため、例えば、原稿押圧板４を閉める動作の際に、その風圧などの影響を受けて、原稿Ｐが適正位置からずれてしまうことがある。そこで、図５（Ｂ）に示すように、操作者により切換スイッチ７が操作される（オンされる）ことにより、原稿台２０を構成する誘電体部５に誘電電界が生じ、原稿Ｐが原稿台２０の誘電体部５に吸着されるようになる。その結果、図５（Ｃ）に示すように、原稿押圧板４が閉じられる際にも、原稿Ｐが基準位置の適正位置に確実に位置するように原稿Ｐを誘電体部５に吸着することができる。
【００６１】
次に、誘電体部５の詳細について、図６を参照しながら説明する。図６は、誘電体部５の内部構造の一例を模式的に示す概略断面図である。
【００６２】
誘電体部５は、誘電体５１と、該誘電体５１に電気的に接続される一対の電極５２ａ，５２ｂとを含んでいる。誘電体５１は、誘電体部５の外側面（原稿載置面）５ｃを構成する外側面５１ｃを有する矩形状のものとされている。誘電体５１の外側面（原稿載置面）５１ｃとは反対側の面には、一対の電極５２ａ，５２ｂが所定間隔をおいて配置されている。
【００６３】
また、一対の電極５２ａ，５２ｂには、切換スイッチ７を介して電源８が接続されている。電源８は、直流電源とされている。一対の電極５２ａ，５２ｂにおいて、片方の電極（ここでは電極５２ａ）にプラス極性のラインが接続されていると共に、もう１方の電極（ここでは電極５２ｂ）にマイナス極性のラインが接続されており、電源８から数ｋＶの電圧が印加されるようになっている。
【００６４】
誘電体部５は、さらに絶縁体５３を含んでいる。絶縁体５３は、誘電体５１と同形状のものとされている。詳しくは、誘電体部５は、誘電体５１に対して一対の電極５２ａ，５２ｂを挟持するように絶縁体５３が設けられたサンドイッチ構造とされている。そして、誘電体５１と絶縁体５３との間には、絶縁材料５４、例えば、エポキシ系の樹脂５４（具体的にはエポキシ樹脂ＹＤＦシリーズ（東都化成株式会社製））が充填されている。
【００６５】
誘電体５１としては、例えば、ポリエステル、ポリウレタン、ポリ塩化ビニル、ポリカーボネート等の樹脂材料及びこれらの材料から選ばれた少なくとも２種類の材料からなる混合物を挙げることができる。特に、誘電体５１として、誘電率の大きいポリフッ化ビニリデンを用いることが好ましい。
【００６６】
また、誘電体５１は、誘電率が大きいという特性の他に、印加電圧に対して適度の抵抗を保持できるという観点から体積固有抵抗が１０13Ωｃｍ以上であることがより好ましい。
【００６７】
一対の電極５２ａ，５２ｂは、それぞれの全体形状が矩形状とされていてもよいし、誘電体５を全面的にカバーできるように互いに対向する側のパターンが所定の間隔をおいて交互に形成された凹凸形状とされていてもよい。図７は、誘電体部５における一対の電極５２ａ，５２ｂの形状を示す平面図であって、図７（Ａ）は、それぞれの全体形状が矩形状とされた一対の電極５２ａ，５２ｂを示しており、図７（Ｂ）は、互いに対向する側のパターンが凹凸形状とされた一対の電極５２ａ，５２ｂを示している。
【００６８】
図７（Ａ）に示す一対の電極５２ａ，５２ｂは、それぞれ、所定間隔をおいて誘電体５１の長手方向に沿って平行に延びている。また、図７（Ｂ）に示す一対の電極５２ａ，５２ｂは、誘電体５１の長手方向に沿って平行に延びる電極の内側が凹凸状（ここでは矩形パルス状）に、且つ、一方の電極の凹部βが他方の電極の凸部γに入り込むと共に、一方の電極の凸部γが他方の電極の凹部βに入り込むように所定間隔ｅをおいて形成されている。ここでは、一対の電極５２ａ，５２ｂ間の間隔ｅは、凸部γの電極幅方向の距離ｆよりも小さくなっている。
【００６９】
一対の電極５２ａ，５２ｂを図７（Ｂ）に示すような凹凸形状とすることで、原稿Ｐの誘電体部５との吸着領域での電極密度を向上させることができ、それだけ少ない印加電圧で吸着力を強化することができ、より原稿Ｐの吸着効果を向上させることができる。
【００７０】
［凹凸形状とした一対の電極５２ａ，５２ｂを用いた実施例］
ここで、一対の電極５２ａ，５２ｂとして図７（Ｂ）に示すような凹凸形状の電極を用い、図７（Ａ）に示すような矩形状の電極に比べどのくらいの印加電圧を削減できるかを確認したので、それについて以下に説明する。
【００７１】
この実施例では、誘電体部５は図６に示す構成のものとし、誘電体５１として、クレハＫＦポリマー（登録商標）（株式会社クレハ製）を用いた。電極５２としては、一般的に使用されているＩＴＯ（酸化インジュウム）を蒸着させたものを用いた。但し、電極５２の材質はＩＴＯに限定されるものではない。また、絶縁体５３としては、板状に形成された樹脂を用いることができ、ここでは、ポリ塩化ビニル（例えば、イラックス（登録商標）ＶＺＬ、住友電工ファインポリマー株式会社製）を用いた。
【００７２】
表１にその結果を示す。
【００７３】
【表１】
0005207725.tif 000002
表１に示すように、図７（Ｂ）に示すような凹凸形状の電極は、図７（Ａ）に示すような矩形状の電極に比べ印加電圧を２０％削減できることが分かった。
【００７４】
［切換スイッチの他の実施形態］
図１及び図２に示すスキャナ装置１において、操作者の入力操作により切り換える切換スイッチ７（以下、第１切換スイッチ７という。）に加えて又は代えて、自動スイッチ構成とされた切換スイッチ１０（以下、第２切換スイッチ１０という。）を用いることができる。スキャナ装置１は、ここでは、第１切換スイッチ７及び第２切換スイッチ１０の双方を備えている。なお、第１切換スイッチ７及び第２切換スイッチ１０の双方を備える場合、図８に示すように、第１切換スイッチ７を介して誘電体部５を通電する第１経路Ｌ１と、第２切換スイッチ１０を介して誘電体部５を通電する第２経路Ｌ２と、第１経路Ｌ１又は第２経路Ｌ２への接続を選択的に切り換える切換手段６とを備えていることが好ましい。
【００７５】
図９は、第１切換スイッチ７及び第２切換スイッチ１０の双方を備えたスキャナ装置１の概観斜視図である。
【００７６】
第２切換スイッチ１０は、原稿押圧板４の開閉動作に連動して誘電体部５の前記通電状態と前記遮断状態とを切り換える切り換え動作を行う自動スイッチ構成とされている。
【００７７】
詳しくは、第２切換スイッチ１０は、可動部１０ａに外力が加わらない状態では前記遮断状態となるように付勢されており、可動部１０ａに対し付勢力に抗して外力が加わっているときのみ前記通電状態となるプッシュスイッチとされている。第２切換スイッチ１０は、可動部１０ａが上面カバー１ａの前記閉じ姿勢での原稿押圧板４との重合領域に位置し、且つ、原稿押圧板４が前記開放姿勢から前記閉じ姿勢に移行する際に該原稿押圧板４に接触して押下されることで誘電体部５が前記遮断状態から前記通電状態へと切り換わるように配置されている。
【００７８】
このように、原稿押圧板４の開閉動作に連動して誘電体部５の原稿Ｐとの吸着動作を行うようにすることで、原稿押圧板４の開閉の際に生じやすい原稿Ｐの配置ずれを自動的に防止することができる。即ち、操作者が原稿Ｐの原稿台２０に対する載置及び除去の都度、切換スイッチを切り換える必要がないため、より使い勝手がよくなる。
【００７９】
ところで、原稿押圧板４の開閉の際の空気の流れ等の影響による原稿Ｐのずれは、原稿押圧板４が原稿台２０に接近するときに発生しやすい。かかる観点から、第２切換スイッチ１０による前記通電状態と前記遮断状態との切り換え位置は、原稿押圧板４の前記開放姿勢と、原稿押圧板４が原稿台２０に近接する近接姿勢との間の何れかの位置に位置することが好ましい。
【００８０】
なお、第２切換スイッチ１０によって誘電体部５の前記通電状態と前記遮断状態とが切り換わる原稿押圧板４の原稿台２０に対する切り換え角度は、小さすぎると原稿押圧板４が原稿台２０に接離する際の影響によって原稿Ｐがずれやすく、大きすぎると原稿押圧板４が操作者による原稿台２０からの原稿Ｐの除去可能な姿勢であっても誘電体部５が前記通電状態のままとなってしまうことがある。かかる観点から、この切り換え角度は、それには限定されないが、１５°〜３０°の範囲の何れかの角度とすることが好ましい。
【００８１】
［スキャナ装置１を備えた画像形成装置１００について］
次に、図１及び図２に示すスキャナ装置１を備えた画像形成装置１００について図１０を参照しながら以下に説明する。
【００８２】
図１０は、図１及び図２に示すスキャナ装置１を備えた画像形成装置１００の概略構成を示すブロック図である。なお、図１０において、スキャナ装置１における制御部１０１等は図示を省略してある。
【００８３】
図１０に示す画像形成装置１００は、スキャナ装置１に加えて、スキャナ装置１における読取部３０で読み取られた画像データに基づき画像を用紙等の記録媒体Ｑに形成する画像形成部１１０を備えている。
【００８４】
画像形成部１１０は、ここでは、スキャナ装置１における読取部３０からの画像データを処理して記録媒体Ｑに画像形成するものである。具体的には、画像形成部１１０は、画像データをページ単位で記憶するメモリ１１１と、レーザ光により画像データに基づく静電潜像を像担持体（ここでは感光体）１１２に書き込むレーザ走査ユニット（ＬＳＵ）を有する印字部１１３と、制御部１１４（制御手段の一例）とを備えている。
【００８５】
画像形成部１１０は、読取部３０からの画像データを、メモリ１１１を介して印字部１１３に転送するようになっている。印字部１１３では、電子写真方式による記録が行われる。即ち、印字部１１３は、画像データがＬＳＵに入力されると、一様に帯電された感光体１１２表面にＬＳＵのレーザ光を走査して静電潜像を形成し、該感光体１１２上の静電潜像をトナーにて現像して顕像化し、さらに該感光体１１２上に顕像化したトナー像を該感光体１１２から記録媒体Ｑに転写した後、加熱及び加圧して定着するようになっている。
【００８６】
この画像形成装置１００は、さらに、給紙トレイ１１５及び手差しトレイ１１６を有する記録媒体供給部１１７と、搬送部１１８と、排出トレイ１１９とを備えている。記録媒体供給部１１７は、給紙トレイ１１５及び手差しトレイ１１６から記録媒体Ｑを搬送部１１８に供給するようになっている。搬送部１１８は、給紙トレイ１１５又は手差しトレイ１１６から供給された記録媒体Ｑを印字部１１３の感光体１１２（具体的には感光体１１２との転写部位）へ搬送すると共に、印字部１１３にて画像形成された記録媒体Ｑを排出トレイ１１９へ排出するようになっている。排出トレイ１１９は、搬送部１１８にて排出された記録媒体Ｑを収容するようになっている。
【００８７】
制御部１１４は、ＣＰＵ等の情報処理部と、ＲＯＭ、ＲＡＭ等の記憶部とを備えており、画像形成装置１００の統合的な制御、例えば、画像形成部１１０の各部の動作制御を行うようになっている。
【００８８】
この画像形成装置１００によれば、図１及び図２に示すスキャナ装置１における読取部３０からの画像データに基づき画像を記録媒体Ｑに形成するため、位置精度の優れた原稿画像を記録媒体Ｑに形成することができる。
【００８９】
このように画像形成装置１００では、位置精度の優れた原稿画像を記録媒体Ｑに形成できるのであるが、それでも原稿Ｐの原稿台２０への載置位置が所定の適正位置から微妙にずれた場合には、読取部３０で読み取られた原稿Ｐの画像データは、本来の適正位置で読み取られた原稿の画像データとは位置関係で異なることになる。即ち、記録媒体Ｑへの印刷画像で比較した場合に、適正位置から微妙にずれた位置で読み取られた原稿Ｐの画像は、本来の適正位置で読み取られた原稿Ｐの画像とは主走査方向Ｘ、副走査方向Ｙ及び斜め方向のうち少なくとも一つの方向の位置が微妙にずれすることがある。
【００９０】
かかる観点から、制御部１１４は、スキャナ装置１における読取部３０で読み取られた画像データに基づき、記録媒体Ｑに形成すべき画像の適正位置に対し画像形成部１１０にて該記録媒体Ｑに形成する画像の印刷位置を一致させるように画像形成部１１０を制御するようになっている。
【００９１】
詳しくは、制御部１１４は、原稿Ｐが原稿台２０の所定の適正位置に載置された後であって原稿押圧板４にて押さえられる前に入力される入力信号（例えば、原稿Ｐの有無を検知する原稿検知センサー３０ａの原稿有りの検知信号や、スキャナ装置１における操作部１０４等に設けられた操作部材１０４ａからの操作者の入力操作による操作信号）によって、原稿台２０の適正位置に載置された原稿Ｐを読取部３０で適正画像データ（適正画像情報）として予め読み取っておく適正画像データ読取手段と、原稿Ｐが原稿押圧板４にて押さえられた後に読取部３０で読み取られた読み取り画像データ（読み取り画像情報）と前記適正画像データ読取手段にて予め読み取っておいた適正画像データとの画像位置のずれ量を検出するずれ量検出手段と、前記ずれ量検出手段による検出結果によって前記読み取り画像データと前記適正画像データとがずれていると判断した場合に、画像形成部１１０を制御して前記適正位置となるように前記印刷位置を変更させる印刷位置変更手段とを備えるように構成されている。なお、前記適正画像データ読取手段及び前記ずれ量検出手段の少なくとも一方は、制御部１１４に備えられる構成に代えて、スキャナ装置１の制御部１０１に備えられるように構成されていてもよい。
【００９２】
かかる構成を備えた画像形成装置１００では、例えば、原稿Ｐの原稿台２０への適正位置に対する微妙な載置位置にずれがある場合に、前記ずれ量検出手段にて検出された前記ずれ量に基づき、画像形成部１１０にて記録媒体Ｐに形成する画像の印刷位置と、該記録媒体Ｐに形成すべき画像の適正位置との位置関係を算出し、前記ずれ量に対応する分だけ前記印刷位置をずらすことにより、適正位置に載置された原稿Ｐにて得られる印刷画像の位置と実質的に等しい位置の印刷画像を得ることができる。
【００９３】
具体的には、制御部１１４は、読取部３０で読み取られた原稿Ｐの画像データの画像処理を行うことで副走査方向Ｙ及び主走査方向Ｘ並びに斜め方向の記録媒体Ｑへの画像の印刷位置を前記適正位置となるようにそれぞれ変更できるようになっている。なお、前記画像処理は、メモリ１１１にページ単位で記憶された画像情報を調整することで行うことができる。この調整については、従来周知の画像処理手法を利用でき、ここでは詳しい説明を省略する。
【００９４】
また、制御部１１４は、原稿Ｐの画像が主走査方向Ｘ及び／又は副走査方向Ｙにのみずれていると判断した場合には、画像形成部１１０の印字部１１３を制御して感光体１１２へのレーザ光の主走査方向Ｘの照射位置及び／又は副走査方向Ｙの照射タイミングを調整することで主走査方向Ｘ及び／又は副走査方向Ｙの記録媒体Ｑへの画像の印刷位置を前記適正位置となるように変更してもよいし、原稿Ｐの画像が副走査方向Ｙにのみずれていると判断した場合には、画像形成部１１０の搬送部１１８を制御して記録媒体の感光体１１２への搬送タイミングを調整することで副走査方向Ｙの記録媒体Ｑへの画像の印刷位置を前記適正位置となるように変更してもよい。
【００９５】
以上説明した実施形態の説明は、すべての点で例示であって、制限的なものではなく、本発明の範囲は、特許請求の範囲によって示される。そして、本発明の範囲には、特許請求の範囲と均等の意味及び範囲内でのすべての変更が含まれる。
【図面の簡単な説明】
【００９６】
【図１】本発明に係る原稿読取装置の一実施形態であるスキャナ装置の概観斜視図である。
【図２】図１に示すスキャナ装置の概略構成を示す部分側面図である。
【図３】図１及び図２に示すスキャナ装置の制御部を中心に示す電気的構成の概略ブロック図である。
【図４】原稿台の位置決め側の端部領域を説明するための図であって、図（Ａ）は、スキャナ装置における位置決め部及び原稿台の誘電体部部分を中心に示す概略平面図であり、図（Ｂ）は、その概略斜視図である。
【図５】原稿の誘電体部への吸着保持動作を説明するための図であって、図（Ａ）は、原稿台に原稿を載置した状態を示す図であり、図（Ｂ）は、位置決め部にて原稿を位置決めした後、切換スイッチをオン操作した状態を示す図であり、また、図（Ｃ）は、位置決め部にて原稿を位置決めして切換スイッチをオン操作した後、原稿押圧板が閉じ姿勢をとっている状態を示す図である。
【図６】誘電体部の内部構造の一例を模式的に示す概略断面図である。
【図７】誘電体部における電極の形状を示す平面図であって、図（Ａ）は、それぞれの全体形状が矩形状とされた一対の電極を示す図であり、図（Ｂ）は、互いに対向する側のパターンが凹凸形状とされた一対の電極を示す図である。
【図８】第１切換スイッチ及び第２切換スイッチの双方を備える場合の切換手段の回路構成を示す図である。
【図９】第１切換スイッチ及び第２切換スイッチの双方を備えたスキャナ装置の概観斜視図である。
【図１０】図１及び図２に示すスキャナ装置を備えた画像形成装置の概略構成を示すブロック図である。
【符号の説明】
【００９７】
１                スキャナ装置（原稿読取装置の一例）
３                リブ（位置決め部の一例）
４                原稿押圧板（原稿押圧部材の一例）
５（２０）        誘電体部
７                第１切換スイッチ
１０              第２切換スイッチ
２０              原稿台
３０              読取部
５１              誘電体
５２ａ，５２ｂ    一対の電極
１００            画像形成装置
１１０            画像形成部
１１４            制御部（制御手段の一例）
Ｃ                原稿台の角部
Ｐ                原稿
Ｑ                記録媒体
α                原稿台の位置決め側の端部領域
β                電極の凹部
γ                電極の凸部
【図１】
0005207725.tif 000003
【図２】
0005207725.tif 000004
【図３】
0005207725.tif 000005
【図４】
0005207725.tif 000006
【図５】
0005207725.tif 000007
【図６】
0005207725.tif 000008
【図７】
0005207725.tif 000009
【図８】
0005207725.tif 000010
【図９】
0005207725.tif 000011
【図１０】
0005207725.tif 000012